(57)【要約】【課題】機種変更に最低限必要な装備品だけを交換できるようにすること、機種変更時の操作性を高めること、遊技場側の機種変更費用の低減化が図れるようにすること。【解決手段】リールユニット４６の前方開放状の本体フレーム４７内に、３枚の支持板４８が所定間隔おきに平行に固定され、これら支持板４８に回転リール５０〜５２が個別に回転可能に枢支されている。各回転リール５０〜５２の左側面には、回転リール５０〜５２の外形寸法よりも大きいディスク板５６〜５８が夫々固着されている。箱状本体２内に取付けた棚板４２の上面の後端部に固定したモータ取付け台５９に、３つの駆動モータ６０〜６２が等間隔で固着され、駆動モータ６０〜６２の駆動軸に硬質のゴム製の駆動ローラ６４〜６６が夫々固着されている。リールユニット４６を所定の取付け位置に取付けたとき、ディスク板５６〜５８を対応する駆動ローラ６４〜６６に押圧接触する。【選択図】  図３
2004147844.tif 000002
【特許請求の範囲】
【請求項１】
複数種の図柄を表示した複数のリール  （５０〜５２）  を夫々回転させて図柄を可変表示させる可変表示手段（４５）と、複数のリール  （５０〜５２）  の回転を開始させる開始操作手段（１３）と、複数のリール  （５０〜５２）  を夫々停止させる複数の停止操作手段  （１４〜１６）  とを備え、複数のリール  （５０〜５２）  の回転を停止させたときにリール  （５０〜５２）  前面側の図柄表示領域に表示された図柄の組み合わせ態様が特定態様となった場合に遊技者に有利な利益状態を付与するようにした遊技機において、
前面開放状の箱状本体（２）  と、
この箱状本体（２）  の前面を開閉可能に箱状本体に枢着された前扉（３）  と、
前記可変表示手段（４５）の一部を構成する表示ユニット  （４６，４６Ａ〜４６Ｅ）であって、前記複数のリール  （５０〜５２）  を有し箱状本体（２）  の内部に着脱可能に装着される表示ユニット  （４６，４６Ａ〜４６Ｅ）と、
前記表示ユニット  （４６，４６Ａ〜４６Ｅ）の複数のリール  （５０〜５２）  を夫々回転駆動する駆動手段  （６０〜６２）  であって、表示ユニット  （４６，４６Ａ〜４６Ｅ）とは分離して箱状本体（２）  に装備された駆動手段  （６０〜６２）  と、
前記表示ユニット  （４６，４６Ａ〜４６Ｅ）を箱状本体（２）  内の所定の取付け位置に固定した状態において、複数のリール  （５０〜５２）  を、別々に回転と停止を可能とする駆動力伝達機構（６８  〜７０，６８Ａ〜７０Ａ，６８Ｂ  〜７０Ｂ，６８Ｃ  〜７０Ｃ，６８Ｄ  〜７０Ｄ）と、
を備えたことを特徴とする遊技機。
【請求項２】
複数種の図柄を表示した複数のベルト（１１７〜１１９）を夫々回転させて図柄を可変表示させる可変表示手段（４５Ａ）  と、複数のベルト（１１７〜１１９）の回転を開始させる開始操作手段（１３）と、複数のベルト（１１７〜１１９）を夫々停止させる複数の停止操作手段（１４  〜１６）  とを備え、複数のベルト（１１７〜１１９）の回転を停止させたときにベルト（１１７〜１１９）前面側の図柄表示領域に表示された図柄の組み合わせ態様が特定態様となった場合に遊技者に有利な利益状態を付与するようにした遊技機において、
前面開放状の箱状本体（２Ａ）と、
この箱状本体（２Ａ）の前面を開閉可能に箱状本体に枢着された前扉（３Ａ）と、
前記可変表示手段（４５Ａ）  の一部を構成する表示ユニット（１１０）  であって、前記複数のベルト（１１７〜１１９）を有し箱状本体（２Ａ）の内部に着脱可能に装着される表示ユニット（１１０）  と、
前記表示ユニット（１１０）  の複数のベルト（１１７〜１１９）を夫々回転駆動する駆動手段  （６０〜６２）  であって、表示ユニット（１１０）  とは分離した箱状本体（２Ａ）に装備された駆動手段  （６０〜６２）  と、
前記表示ユニット（１１０）  を箱状本体（２Ａ）内の所定の取付け位置に固定した状態において、複数のベルト（１１７〜１１９）を、別々に回転と停止を可能とする駆動力伝達機構（１２３〜１２５）と、
を備えたことを特徴とする遊技機。
【請求項３】
前記駆動力伝達機構（６８  〜７０，６８Ａ〜７０Ａ，６８Ｂ  〜７０Ｂ，６８Ｃ  〜７０Ｃ，６８Ｄ  〜７０Ｄ，１２３  〜１２５）は、前記駆動手段  （６０〜６２）  で回転駆動されると共にリール  （５０〜５２）  又はベルト（１１７〜１１９）又はベルト支持プーリ（１１３）  に摩擦接触するローラ部材  （６４〜６６，６４Ａ〜６６Ａ，９７〜９９）  を有することを特徴とする請求項１又は２に記載の遊技機。
【請求項４】
前記駆動力伝達機構（６８Ｂ〜７０Ｂ，６８Ｃ  〜７０Ｃ）は、前記駆動手段（６０〜６２）  で回転駆動される駆動ギヤ  （８０〜８２，  ８６〜８８）  と、リール  （５０〜５２）  又はベルト支持プーリ（１１３）  に固定されると共に駆動ギヤ  （８０〜８２，  ８６〜８８）  に噛合する従動ギヤ  （８３〜８５，９０  〜９２）  とを有することを特徴とする請求項１又は２に記載の遊技機。
【請求項５】
前記駆動力伝達機構（６８Ｄ〜７０Ｄ）は、リール  （５０〜５２）  又はベルト（１１７〜１１９）又はベルト支持プーリ（１１３）  の外周近傍部に装備されたマグネットシート  （９４〜９６）  であって周方向の所定長さ毎に磁性が反転したマグネットシート  （９４〜９６）  と、前記駆動手段  （６０〜６２）  で回転駆動されリール  （５０〜５２）  又はベルト（１１７〜１１９）又はベルト支持プーリ（１１３）  に接近対向したローラ部材  （９７〜９９）  と、このローラ部材  （９７〜９９）  に装備された環状マグネット体（１００）  であって周方向の前記所定長さ毎に磁性が反転した環状マグネット体（１００）  とを有することを特徴とする請求項１又は２に記載の請求項１又は２に記載の遊技機。
【発明の詳細な説明】
【０００１】
【発明の属する技術分野】本発明は、外周面（表面）に複数種の図柄が表示されたリールやベルト等を複数並設した遊技機に関する。
【０００２】
【従来の技術】従来、遊技機であるスロットマシンには、３つの回転リール、スタートレバー、３つの回転リールに対応する３つのストップボタンが設けられている。遊技者は、遊技媒体であるメダルを１〜３枚を投入し、スタートレバーを操作して３つの回転リールを回転させ、３つのストップボタンを順次操作して、回転する回転リールを順次停止させて１回のゲームを行う。各回転リールの外周面には複数種の図柄（例えば、「７」、「ＢＡＲ」、「ベル」、「チェリー」、「リプレイ図柄」等の２１個の図柄）が印されており、回転リールが回転することにより、スロットマシン前面の表示パネルに形成された図柄表示窓を介して複数の遊技図柄が高速で変動表示される。
【０００３】
３つのストップボタンの停止操作により３つの回転リールが回転停止したとき、図柄表示窓に停止表示される図柄のうち、メダルの投入枚数に応じて有効となる入賞ライン上に並ぶ図柄の組合せ態様が、大当り態様（「７」が３つ揃う態様）、小当り態様（「ＢＡＲ」が３つ揃う態様）、小役態様（「ベル」が３つ揃う態様等）、リプレイ態様（「リプレイ図柄」が３つ揃う態様）、外れ態様等の何れかになる。ところで、スロットマシンは機種毎に、遊技内容や遊技テーマが異なるため、スロットマシンの前面に有する種々の装飾パネル、リールに表された複数種の図柄、更には遊技制御の制御内容が異なっている。
【０００４】
即ち、現在稼働中のスロットマシンの機種変更を行う場合、つまり新装開店を行う場合には、基本的に、スロットマシン自体を変更するようになっているため、交換部品の交換作業が複雑化し、新装開店費用が高くなる等、作業面やコスト面で不利である。そこで、特開平６−２３１３４号公報に記載の遊技設備には、図柄回動ユニットや制御基板ケース等の内装部品と図柄表示パネル等の外装部品を矩形枠体に組み込んで装着ユニットを構成し、その装着ユニットを扉体の上半部分に装着するようにしてあるため、機種変更に際しては、接続ケーブルを取外してから装着ユニット、装飾表示パネルを簡単に交換できるようにしてある（例えば、特許文献１参照）。
【０００５】
また、特開平１０−５２５２５号公報に記載のスロットマシンには、本体箱の上半部分に上部ドアを枢着するとともに、本体箱の下半分に下部ドアを枢着し、上部ドアの裏側に、リール装置と主基板とを一体的に装着するようにしてある。それ故、機種変更に際しては、接続ケーブルを取外してから上部ドアだけを本体箱から取外して交換できるようにしてある。このとき、下部ドアに着脱可能に取り付けてある装飾パネルも同時に交換する（例えば、特許文献２参照）。
【０００６】
更に、特開２００１−２３１９１５号公報に記載のスロットマシンゲーム機には、各回転リールをその外周部において複数のガイドローラで支持するとともに、回転リールの外周部に駆動ローラを後側から圧接状に当接し、この駆動ローラをモータで回転駆動するようにしてある。そのため、モータが回転することで、駆動ローラの回転を介して回転リールを回転できるようにしてある（例えば、特許文献３参照）。
【０００７】
【特許文献１】
特開平６−２３１３４号公報  （第３頁、図１）
【特許文献２】
特開平１０−５２５２５号公報  （第５〜６頁、図１）
【特許文献３】
特開２００１−２３１９１５号公報  （第３頁、図１）
【０００８】
【発明が解決しようとする課題】特開平６−２３１３４号公報に記載の遊技設備においては、装着ユニットを扉体の上半分に装着してあるため、扉体の剛性や強度アップが必要となるだけでなく、扉体を開閉可能に枢支するヒンジ機構や箱状本体の強度アップも必要となり、更には、装着ユニットに含まれる図柄回動ユニットの各図柄移動装置には、交換しなくてもよい図柄ベルト駆動用のモータまで含まれているため、装着ユニットの製造コストが高くなること、装着ユニットを取付けた扉体の開閉操作が重くなること、等の問題がある。
【０００９】
また、特開平１０−５２５２５号公報に記載のスロットマシンにおいては、上部ドアにリール装置と主基板とを一体的に装着してあるため、この場合にも、上部ドアの剛性や強度アップが必要となるだけでなく、上部ドアを開閉可能に枢支するヒンジ機構の強度アップが必要となり、更には、リール装置には、交換しなくてもよい回転リール駆動用のモータまで含まれているため、リール装置の製造コストが高くなること、加えて、上部ドアと下部ドアを設けるため、部品点数が増加し、これらドアの組付け作業が複雑化すること、等の問題がある。
【００１０】
更に、特開２００１−２３１９１５号公報に記載のスロットマシンゲーム機によれば、モータで回転駆動される駆動ローラは回転リールの外周部に圧接しながら摩擦抵抗により回転リールを回転駆動するため、駆動ローラのスリップ等により回転リールに印された図柄が剥げてくるようになり、或いは駆動ローラの汚れが回転リールの表面に付着するようになり、図柄が見にくくなること、等の問題がある。
【００１１】
本発明の目的は、機種変更に最低限必要な装備品だけを交換できるようにすること、機種変更時の操作性を高めること、遊技場側の機種変更費用の低減化が図れるようにすること、等である。
【００１２】
【課題を解決するための手段】請求項１の遊技機は、複数種の図柄を表示した複数のリールを夫々回転させて図柄を可変表示させる可変表示手段と、複数のリールの回転を開始させる開始操作手段と、複数のリールを夫々停止させる複数の停止操作手段とを備え、複数のリールの回転を停止させたときにリール前面側の図柄表示領域に表示された図柄の組み合わせ態様が特定態様となった場合に遊技者に有利な利益状態を付与するようにした遊技機において、前面開放状の箱状本体と、この箱状本体の前面を開閉可能に箱状本体に枢着された前扉と、可変表示手段の一部を構成する表示ユニットであって、複数のリールを有し箱状本体の内部に着脱可能に装着される表示ユニットと、表示ユニットの複数のリールを夫々回転駆動する駆動手段であって、表示ユニットとは分離して箱状本体に装備された駆動手段と、表示ユニットを箱状本体内の所定の取付け位置に固定した状態において、複数のリールを、別々に回転と停止を可能とする駆動力伝達機構とを備えたものである。
【００１３】
箱状本体には、前扉が枢着されるとともに、駆動手段が表示ユニットとは分離して装備されている。そこで、表示ユニットを箱状本体内の所定の取付け位置に固定した場合、駆動手段の回転駆動力は駆動力伝達機構により複数のリールに伝達されるため、表示ユニットの複数のリールが別々に回転駆動される。このように、表示ユニットに駆動手段を備えなくても、複数のリールの回転駆動が可能になる。
【００１４】
請求項２の遊技機は、複数種の図柄を表示した複数のベルトを夫々回転させて図柄を可変表示させる可変表示手段と、複数のベルトの回転を開始させる開始操作手段と、複数のベルトを夫々停止させる複数の停止操作手段とを備え、複数のベルトの回転を停止させたときにベルト前面側の図柄表示領域に表示された図柄の組み合わせ態様が特定態様となった場合に遊技者に有利な利益状態を付与するようにした遊技機において、前面開放状の箱状本体と、この箱状本体の前面を開閉可能に箱状本体に枢着された前扉と、可変表示手段の一部を構成する表示ユニットであって、複数のベルトを有し箱状本体の内部に着脱可能に装着される表示ユニットと、表示ユニットの複数のベルトを夫々回転駆動する駆動手段であって、表示ユニットとは分離した箱状本体に装備された駆動手段と、表示ユニットを箱状本体内の所定の取付け位置に固定した状態において、複数のベルトを、別々に回転と停止を可能とする駆動力伝達機構とを備えたものである。
【００１５】
箱状本体には、前扉が開閉可能に枢着されるとともに、駆動手段が表示ユニットとは分離して装備されている。そこで、表示ユニットを箱状本体内の所定の取付け位置に固定した場合、駆動手段の回転駆動力は駆動力伝達機構により複数のベルトに伝達されるため、表示ユニットの複数のベルトが別々に回転駆動される。このように、表示ユニットに駆動手段を備えなくても、複数のベルトの回転駆動が可能になる。
【００１６】
ここで、前記駆動力伝達機構は、駆動手段で回転駆動されると共にリール又はベルト又はベルト支持プーリに摩擦接触するローラ部材を有するようにしてもよい。また、前記駆動力伝達機構は、駆動手段で回転駆動される駆動ギヤと、リール又はベルト支持プーリに固定されると共に駆動ギヤに噛合する従動ギヤとを有するようにしてもよい。
【００１７】
また、前記駆動力伝達機構は、リール又はベルト又はべルト支持プーリの外周近傍部に装備されたマグネットシートであって周方向の所定長さ毎に磁性が反転したマグネットシートと、駆動手段で回転駆動されリール又はベルト又はべルト支持プーリに接近対向したローラ部材と、このローラ部材に装備された環状マグネット体であって周方向の所定長さ毎に磁性が反転した環状マグネット体とを有するようにしてもよい。
【００１８】
【発明の実施の形態】以下、本発明の実施の形態について図面を参照して説明する。本実施形態は、遊技媒体であるメダルが１〜３枚投入された状態で、遊技者がスタートレバーを操作して３つの回転リールを回転させてから、３つのストップボタンを順次操作して、回転中の３つの回転リールを順次停止させてゲームを行うようにしたスロットマシンに本発明を適用した場合の一例である。
【００１９】
図１，図２に示すように、スロットマシン１は、遊技ホールの島構造体（図示略）に取付けられた前面開放状の箱状本体２を備え、この箱状本体２に前扉３が開閉可能に枢着されている。前扉３には、上側から順番に、上部中央の装飾ランプ４及び上部両側の装飾ランプ５と、入賞図柄表示パネル６と、液晶ディスプレイからなる演出表示部７と、遊技用のメイン表示パネル８とが設けられている。その下側に、メダル精算ボタン９と、メダル１枚投入ボタン１０と、メダル３枚投入ボタン１１と、メダル投入口１２とが設けられている。
【００２０】
更に、その下側にはスタートレバー１３（これが開始操作手段に相当する）と、３つのストップボタン１４〜１６（これらが複数の停止操作手段に相当する）とが夫々が設けられ、その下側には更に、遊技テーマをイメージするイメージパネル１７と、左右１対のスピーカ１８と、メダル払出し口１９と、メダル受け皿２０とが夫々設けられている。
【００２１】
入賞図柄表示パネル６には、「７（赤）・７（赤）・７（赤）」や「７（白）・７（白）・７（白）」が揃う組合せが大当り態様（ビッグボーナス）、「ＢＡＲ・ＢＡＲ・ＢＡＲ」が揃う小当り態様、「ベル・ベル・ベル」や「７（赤）・プラム・プラム」が揃う小役態様等の、入賞図柄の組み合わせが入賞種類に分類して図示されている。
【００２２】
メイン表示パネル８には、縦長の３つの図柄表示窓２２が左右に並べて形成されている。これら図柄表示窓２２に、後述する回転リール５０〜５２の前端側部分が夫々接近状に臨んでいる。メイン表示パネル８の左端側部には、１枚のメダル投入を表示する１つの１枚投入表示部２３と、２枚のメダル投入を表示する２つの２枚投入表示部２４と、３枚のメダル投入を表示する２つの３枚投入表示部２５と、スタート（ＳＴＡＲＴ）  表示部２６とが夫々設けられている。
【００２３】
メイン表示パネル８の右端側部には、ビッグ（ＢＩＧ）  表示部２７と、レギュラー（ＲＥＧ）  表示部２８と、リプレイ（ＲＥＰＬＡＹ）表示部２９と、ウェイト（ＷＡＩＴ）表示部３０と、インサート（ＩＮＳＥＲＴ）表示部３１とが設けられている。そして、各表示部２３〜３１に対応するように表示用ランプ（図示略）が夫々設けられ、これら表示用ランプが点灯した場合、点灯した表示部２３〜３１に表された文字情報の機能が有効になる。
【００２４】
メイン表示パネル８には、更に、図１に示すように、１枚のメダル投入で有効化される１つの１枚用入賞ライン３３と、２枚のメダル投入で有効化される２つの２枚用入賞ライン３４と、３枚のメダル投入で有効化される２つの３枚用入賞ライン３５とが夫々表されている。投入されたメダルが１枚の場合には１本の入賞ライン３３だけが有効化されるが、２枚投入の場合には３本の入賞ライン３３，３４が有効化され、３枚投入の場合には５本全ての入賞ライン３３〜３５が有効化される。
【００２５】
ここで、ゲームを終了したときに有効化された入賞ライン３３〜３５の何れかの停止図柄の組合せ態様は、赤の「７，７，７」又は白の「７，７，７」が揃う大当たり態様と、「ＢＡＲ，ＢＡＲ，ＢＡＲ」が揃う小当たり態様と、「７（赤），スイカ，スイカ」と「７（白），スイカ，スイカ」と「ＢＡＲ，スイカ，スイカ」と１つの「チェリー」を有する複数種類の小役態様と、３つの「リプレイ図柄」が揃うリプレイ態様であったり、それ以外の外れ態様である。
【００２６】
大当たり態様と小当たり態様が成立した場合には、夫々１５枚のメダルが付与され、「チェリー」を含む小役態様だけは２枚のメダルが付与されるが、その他の小役態様では１０枚のメダルが付与される。但し、リプレイ態様が成立した場合には、メダルの払出しは受けないが、メダルを投入することなく次のゲームを実行可能となる。大当たり態様（これが特定態様に相当する）が成立した場合には、１５枚のメダル付与に加えて遊技者に有利な利益状態であるビッグボーナスが発生する。
【００２７】
また、小当たり態様（これも特定態様に相当する）が成立した場合には、１５枚のメダル付与に加えて遊技者に有利な利益状態であるレギュラーボーナスが発生する。メイン表示パネル８の下端側部には、貯留枚数表示部３７と、特別遊技表示部３８と、付与枚数表示部３９とが設けられている。貯留枚数表示部３７と付与枚数表示部３９は、２桁の数字を表示可能な７セグメントからなるＬＥＤ（発光ダイオード）で構成され、特別遊技表示部３８は４桁の数字を表示可能な７セグメントからなるＬＥＤで構成されている。
【００２８】
ところで、箱状本体２の内部の高さ方向中段部よりやや低い位置には、図２，図３に示すように、棚板４２が固定され、その棚板４２の上面に後述する可変表示機構４５（これが可変表示手段に相当する）が着脱可能に装着されるようになっている。
【００２９】
次に、可変表示機構４５について、図３，図４に基づいて説明する。
可変表示機構４５は、３つ（左側、中央、右側）の回転リール５０〜５２と、これら回転リール５０〜５２の回転位置を夫々検出する図示しない複数の回転位置検出センサ及び図柄照明機構等を回転リール５０〜５２毎に組込んだリールユニット（これが表示ユニットに相当する）４６と、主制御基板５３を収容した基板ケース５４等を一体化したユニットとして構成されている。
【００３０】
次に、リールユニット４６について説明する。
前方開放状の本体フレーム４７内に、前後方向向きの３枚の支持板４８が所定間隔おきに平行に固定され、これら支持板４８に回転リール５０〜５２が個別に回転可能に枢支されている。各回転リール５０〜５２の左側面には、回転リール５０〜５２の外形寸法よりも大きいディスク板５６〜５８が固着されている。それ故、後述する駆動モータ６０〜６２でこれらディスク板５６〜５８が独立に回転駆動することで、回転リール５０〜５２が個別に回転可能になっている。
【００３１】
棚板４２の上面の後端部にはモータ取付け台５９が固定され、このモータ取付け台５９に３つの駆動モータ６０〜６２が等間隔で固着され、駆動モータ６０〜６２の駆動軸に駆動ローラ６４〜６６が夫々固着されている。これら駆動ローラ６４〜６６は硬質のゴム製であり、リールユニット４６を図３に示す所定の取付け位置に取付けて、ディスク板５６〜５８を対応する駆動ローラ６４〜６６に押圧接触させた場合、駆動ローラ６４〜６６の大きな摩擦抵抗により、これらディスク板５６〜５８と駆動ローラ６４〜６６とは滑りを生じることなく同期回転が可能になっている。
【００３２】
ここで、これら複数の駆動モータ６０〜６２が複数の駆動手段に相当し、駆動モータ６０に取付けられた駆動ローラ６４とディスク板５６とで左側の駆動力伝達機構６８が構成され、駆動モータ６１に取付けられた駆動ローラ６５とディスク板５７とで中央の駆動力伝達機構６９が構成され、駆動モータ６２に取付けられた駆動ローラ６６とディスク板５８とで右側の駆動力伝達機構７０が構成されている。
【００３３】
各回転リール５０〜５２の外周面に形成された所定幅を有する図柄シートの表面には、複数種類の遊技図柄（例えば、図１，図５に示すように、「７（赤）」、「７（白）」、「ＢＡＲ」、「ベル」、「Ｒ」等の図柄）が夫々表されている。それ故、回転リール５０〜５２が回転した場合、回転リール５０〜５２の外周部に表された複数種の図柄が図柄表示窓２２を介して変動表示され、回転リール５０〜５２の回転が停止した場合、図柄表示窓２２の上段と中段と下段に、回転リール５０〜５２の複数の図柄のうちの前側に位置する３つの連続する図柄だけが図柄表示窓２２を介して停止表示される。
【００３４】
ところで、本体フレーム４７の上面の後端部に、遊技制御を主に司る主制御基板５３を収容した基板ケース５４が図示外の固定金具により横長の縦向きに固定されている。この主制御基板５３には、１チップ化されたマイクロコンピュータ（図示略）や主制御プログラムを格納したプログラムＲＯＭ（図示略）等が設けられている。そして、これら主制御基板５３と、リールユニット４６と、後述するメダル払い出し装置７５等の制御基板が、複数本の配線を結束した複数の接続ケーブル（図示略）により相互に電気的に接続されている。
【００３５】
ところで、本体フレーム４７には、本体フレーム４７の左右両側壁の下端部を部分的に外側に切り起こした水平状の係合片４７ａが夫々形成されている。そして、棚板４２の上面には、図６に示すように、左右１対の係合片４７ａに係脱可能な左右１対の係合部材７２，７３が夫々固定されている。
【００３６】
但し、各係合部材７２，７３は左側又は右側の一段低い取付け壁７２ａ，７３ａにおいてビス止めされるとともに、奥側（後側）において縦壁で塞がれている。このように、リールユニット４６に複数の係合片４７ａを設けると共に、箱状本体２に複数の係合片４７ａが夫々係脱可能な複数の係合部材７２，７３を設けて、リールユニット４６を着脱可能になっている。
【００３７】
そこで、リールユニット４６を箱状本体２に装着するに際して、各係合片４７ａを対応する係合部材７２，７３に係合させることで、リールユニット４６を箱状本体２に位置決めして容易に取付けることができる。箱状本体２の下側には、主制御基板５３やリールユニット４６等の複数の制御基板の各々に電力を供給する電源ユニット７４と、入賞した場合に入賞の種類に応じた枚数のメダルを払出すメダル払出し装置７５等が設けられている。
【００３８】
このメダル払出し装置７５で払出されたメダルは、メダル払出し口１９を経てメダル受け皿２０に貯留される。ここで、可変表示機構４５が複数種の図柄を夫々表した複数の回転リール５０〜５２を夫々回転させて図柄を可変表示させる可変表示手段に相当し、スタートレバー１３が複数の回転リール５０〜５２の回転を開始させる開始操作手段に相当し、３つのストップボタン１４〜１６が複数の回転リール５０〜５２を夫々停止させる停止操作手段に相当する。
【００３９】
次に、このように構成されたスロットマシン１の作用及び効果について説明する。
遊技者はメダル精算ボタン９を操作して、貯留モードと非貯留モードの何れか一方に切換えることができ、貯留モードのときにはメダルを所定枚数（例えば、５０枚）まで貯留することができ、その貯留枚数が貯留枚数表示部３７に表示される。ゲームの開始にあたって、遊技者は１〜３枚のメダルをメダル投入口１２から直接投入するか、メダルの貯留がない場合には、メダル１枚投入ボタン１０又はメダル３枚投入ボタン１１を操作して、その貯留枚数の中から１枚又は３枚のメダルを投入する。
【００４０】
そして、遊技者がスタートレバー１３を操作すると、回転リール５０〜５２が同時に回転を開始し、その後、ストップボタン１４〜１６を操作すると対応する回転リール５０〜５２が停止する。尚、ストップボタン１４〜１６が操作されなかった場合でも、スタートレバー１３の操作から所定時間（例えば、約３０秒）が経過すると、回転リール５０〜５２の回転が自動的に停止する。
【００４１】
回転リール５０〜５２の回転が全て停止したとき、図柄表示窓２２に変動停止して表示される図柄のうち、有効化した入賞ライン３３〜３５上に並ぶ図柄の組合せが、入賞図柄表示パネル６に図示された大当たり態様、小当たり態様、小役態様の何れかであった場合には、入賞に応じて予め決定されている枚数のメダルがメダル払出し装置７５により払出される。即ち、遊技者に有利な利益状態が付与される一例である。
【００４２】
ところで、このスロットマシン１を別の新機種に変更する機種変更に際しては、図６に示すように、先ず、前扉３を全開してから、主制御基板５３やリールユニット４６に接続されている全ての接続ケーブルのコネクタを外す。次に、リールユニット４６を左右均等に手前に引き出すだけで、スライド可能であるため、リールユニット４６の係合片４７ａと箱状本体３２の係合部材７２，７３との係合を簡単に解除することができ、リールユニット４６を箱状本体２から容易に取り出すことができる。
【００４３】
このとき、リールユニット４６には、複数の回転リール５０〜５２を回転駆動するための複数の駆動モータ６０〜６２が含まれていないため、リールユニット４６の小型化且つ軽量化を図ることができ、そのため、リールユニット４６の製造コストを低減化、更にはこのリールユニット４６を交換する交換作業が簡単化し、更には機種変更時の交換費用を安価にすることができる。更に、駆動ローラ６４〜６６は、回転リール５０〜５２の外周面に接触していないため、回転リール５０〜５２の図柄が剥がれたり、汚れることがない。
【００４４】
その後、機種変更後の新規のリールユニット４６を取外し順序の逆の順序にて、棚板４２の所定の取付け位置に取付ける。このようにしてリールユニット４６の取付けが完了したとき、前述したように、図４，図５に示すように、各駆動ローラ６４〜６６が対応する各ディスク板５６〜５８の後端部に夫々押圧接触するため、駆動モータ６０〜６２の回転駆動力を対応する回転リール５０〜５２に個別に伝達することができ、回転リール５０〜５２を遊技制御に応じて回転制御することが可能になる。
【００４５】
次に、前記実施形態の変更形態について説明する。但し、前記実施形態と同じものには同一符号を付して説明する。
１〕図７に示すように、リールユニット４６Ａにおいて、回転リール５０〜５２にディスク板５６〜５８を設けずに、駆動モータ６０〜６２に取付けた駆動ローラ６４Ａ〜６６Ａの外周面を、回転リール５０〜５２の外周面に直接、摩擦接触させるようにしてもよい。この場合、回転リール５０〜５２に対する駆動力伝達機構６８Ａ〜７０Ａは、駆動ローラ６４Ａ〜６６Ａで構成される。
【００４６】
２〕図８，図９に示すように、リールユニット４６Ｂにおいて、各回転リール５０〜５２の左側面に、回転リール５０〜５２の外形寸法よりも大きい駆動ギヤ８０〜８２を固着し、この駆動ギヤ８０〜８２に噛合する従動ギヤ８３〜８５を駆動モータ６０〜６２に夫々装着する。この場合、駆動力伝達機構６８Ｂ〜７０Ｂは駆動ギヤ８０〜８２と従動ギヤ８３〜８５等で構成される。
【００４７】
この場合にも前記実施形態と同様に、各駆動ギヤ８０〜８２が対応する各従動ギヤ８３〜８５に夫々噛合するため、駆動モータ６０〜６２の回転駆動力を対応する回転リール５０〜５２に伝達することができ、回転リール５０〜５２を遊技制御に応じて回転制御することが可能になる。更に、このように、ギヤ噛合により駆動力を伝達する場合には、リールユニット４６Ｂの取付け位置に、微小な取付け誤差が生じた場合でも、ギヤ噛合が確実に行われるため、駆動力伝達に支障を来すようなことがない。
【００４８】
３〕図１０に示すように、リールユニット４６Ｃにおいて、各回転リール５０〜５２の左側面に、回転リール５０〜５２の外形寸法よりも小さい駆動ギヤ８６〜８８を固着し、この駆動ギヤ８６〜８８に噛合する従動ギヤ９０〜９２を駆動モータ６０〜６２に夫々装着する。この場合、駆動力伝達機構６８Ｃ〜７０Ｃは駆動ギヤ８６〜８８と従動ギヤ９０〜９２等で構成される。この場合にも前記実施形態と同様に、各駆動ギヤ８６〜８８が対応する各従動ギヤ９０〜９２に夫々噛合するため、駆動モータ６０〜６２の回転駆動力を対応する回転リール５０〜５２に伝達することができる。この場合、駆動ギヤ８６〜８８を遊技者から見えないように隠すことができる。
【００４９】
４〕図１１，図１２に示すように、リールユニット４６Ｄにおいて、各回転リール５０〜５２の外周部に形成された図柄シート５０ａ〜５２ａの内面に、所定幅を有するマグネットシート９４〜９６を無端状に夫々設け、これらマグネットシート９４〜９６に接近対向するように、駆動モータ６０〜６２に駆動ローラ９７〜９９を夫々設け、各駆動ローラ９７〜９９の外周部に環状マグネット体１００を固着するようにしてもよい。これらマグネットシート９４〜９６は図１２に示すように、周方向の所定長さ毎に磁性（Ｎ極とＳ極）が反転するように構成されている。
【００５０】
また、環状マグネット体１００は、図１２に示すように、Ｎ極とＳ極を両端部に有する側面視にて略台形状の永久磁石を、周方向の所定長さ毎に磁性（Ｎ極とＳ極）が反転するように交互に環状に配置したものである。この場合、図示のように、駆動モータ６０〜６２と回転リール５０〜５２とは、これらマグネットシート９４〜９６と環状マグネット体１００とが最接近する接近箇所において、マグネットシート９４〜９６の極性と環状マグネット体１００の極性とが相互に異なる位置関係で相互に強力に引きつけ合うようになる。
【００５１】
そのため、これらマグネットシート９４〜９６と環状マグネット体１００の相互に吸引する磁力を介して、駆動モータ６０〜６２の回転駆動力を対応する回転リール５０〜５２に伝達することができ、回転リール５０〜５２を遊技制御に応じて回転制御することが可能になる。この場合、駆動力伝達機構６８Ｄ〜７０Ｄはマグネットシート９４〜９６と環状マグネット体１００等で構成される。
５〕駆動ローラ６４〜６６，６４Ａ〜６６Ａは、その表面部だけがゴム製であってもよい。
【００５２】
６〕図１３に示すように、図４を部分的に変更し、リールユニット４６Ｄの回転リールを駆動する駆動モータを取付けたモータ取付け台５９を、前後方向にスライド自在に支持するとともに、駆動ローラを回転リールに押圧するように、モータ取付け台５９を回転リール側へ弾性付勢するのも好ましい。即ち、箱状本体２の棚板４２上に、前後方向向きの複数本のレール４３を平行に固着し、モータ取付け台５９をこれら複数本のレール４３に沿って前後にスライド可能に構成する。更に、モータ取付け台５９と箱状本体２との間に複数の圧縮バネ４４を介在させる。
【００５３】
それ故、モータ取付け台５９はこれら複数の圧縮バネ４４の付勢力により、レール４３に沿って前方、つまり回転リール５０〜５２側に押圧付勢されている。このようにすれば、回転リール５０〜５２と駆動ローラ６４〜６６とが確実に当接して駆動力の伝達が確実となる。
【００５４】
７〕本発明は以上説明した実施の形態に限定されるものではなく、当業者であれば、本発明の趣旨を逸脱しない範囲で、前記実施形態に種々の変更を付加して実施することができ、本発明はそれらの変更形態をも包含するものである。
【００５５】
〔別実施形態〕
ところで、図１４，図１５に示すように、スロットマシン１Ａは、複数の図柄ベルトを回転させるようにしたベルト式であってもよい。このベルト式スロットマシン１Ａは、箱状本体２Ａ内の棚板４２Ａの上面に、可変表示機構４５Ａの一部を構成するベルトユニット１１０が設けられたものである。従って、スロットマシン１Ａの前扉３Ａに有するスタートレバー１３、ストップボタン１４〜１６、メダル受け皿２０等が前記実施形態のスロットマシン１と同様に設けられており、その他の詳しい説明を省略する。
【００５６】
可変表示機構４５Ａは、ベルトユニット１１０（これが表示ユニットに相当する）と、主制御基板５３Ａを収容した基板ケース５４Ａ等を一体的に組み合わせて構成されている。そこで、ベルトユニット１１０について説明する。このベルトユニット１１０は、本体フレーム１１１内に左側と中央と右側に同様に構成された３つの駆動機構１１０Ａ〜１１０Ｃを備えたものである。但し、図１５には、左側の駆動機構１１Ａを示す。
【００５７】
図１５，図１６に示すように、本体フレーム１１１内に配設された略長方形の板部材からなる支持板１１２の下端部に、駆動プーリ１１３（これがベルト支持プーリに相当する）が回転可能に枢支されている。支持板１１２の上端部には、その前側に従動プーリ１１４が回転可能に枢着されるともに、その後側にテンションプーリ１１５が回転可能に枢着されている。支持板１１２の高さ方向中段部には、直径の大きいガイドプーリ１１６が回転可能に枢着されている。
【００５８】
そして、これら４つのプーリ１１３〜１１６に所定幅を有する無端状の図柄ベルト１１７〜１１９が夫々掛け渡されている。これら図柄ベルト１１７〜１１９の外周面には、「１」〜「９」などの数字図柄だけでなく、「ＢＡＲ」、「ベル」、「プラム」等の複数種の遊技図柄が等間隔に夫々印されている。また、各駆動プーリ１１３の左端面には、駆動プーリ１１３の外形寸法よりも大きいディスク板１２０〜１２２が夫々固着されている。
【００５９】
ところで、棚板４２Ａの上面の後端部には、前記実施形態と同様に、モータ取付け台５９が固定され、モータ取付け台５９に３つの駆動モータ６０Ａ〜６２Ａが等間隔で固着され、駆動モータ６０Ａ〜６２Ａの駆動軸に、硬質のゴム製の駆動ローラ６４Ｂ〜６６Ｂが夫々固着されている。それ故、ベルトユニット１１０を図１４，図１５に示す所定の取付け位置に取付けて、ディスク板１２０〜１２２を対応する駆動ローラ６４Ｂ〜６６Ｂに押圧接触させた場合、駆動ローラ６４Ｂ〜６６Ｂの大きな摩擦抵抗により、これらディスク板１２０〜１２２と駆動ローラ６４Ｂ〜６６Ｂとは滑りを生じることなく同期回転が可能になっている。
【００６０】
この場合、これら複数の駆動モータ６０Ａ〜６２Ａが複数の駆動手段に相当し、駆動モータ６０Ａ〜６２Ａに取付けられた駆動ローラ６４Ｂ〜６６Ｂとディスク板１２０〜１２２とで駆動力伝達機構１２３〜１２５が夫々構成されている。そのため、駆動モータ６０Ａ〜６２Ａの回転駆動力を対応する図柄ベルト１１７〜１１９に伝達することができ、図柄ベルト１１７〜１１９を遊技制御に応じて個別に回転制御することが可能になる。
【００６１】
図柄ベルト１１７〜１１９が回転した場合、図柄ベルト１１７〜１１９の外周部に表された複数種の遊技図柄がメイン表示パネルの図柄表示窓を介して変動表示され、図柄ベルト１１７〜１１９の回転が停止した場合、図柄表示窓の上段と中段と下段に、図柄ベルト１１７〜１１９の複数の図柄のうちの前側に位置する３つの連続する図柄だけが図柄表示窓を介して停止表示される。
【００６２】
この場合にも、前記実施形態と同様に、ベルトユニット１１０には、複数の図柄ベルト１１７〜１１９を回転駆動するための複数の駆動モータ６０Ａ〜６２Ａが含まれていないため、ベルトユニット１１０の小型化且つ軽量化を図ることができ、そのため、ベルトユニット１１０の製造コストを低減化、更にはこのベルトユニット１１０を交換する交換作業が簡単化し、更には機種変更時の交換費用を安価にすることができる。その後、機種変更後の新規のベルトユニット１１０を、取外し順序の逆の順序にて、棚板４２Ａの所定の取付け位置に取付ける。
【００６３】
更に、この種のベルト式スロットマシン１Ａにおいて、前記実施形態で説明したように、種々の変更形態が可能である。
１〕駆動ローラ６４Ｂ〜６６Ｂを、駆動プーリ１１３の外周面に接する図柄ベルト１１７〜１１９に押圧接触させることで、図柄ベルト１１７〜１１９を駆動ローラ６４Ｂ〜６６Ｂにより回転駆動するようにしてもよい（図７参照）。
２〕また、図示しないが、駆動プーリ１１３の左側面に駆動ギヤを固着し、この駆動ギヤに噛合する従動ギヤを駆動モータ６０Ａ〜６２Ａに夫々装着し、これら駆動ギヤと従動ギヤとを噛合させるように構成してもよい。
【００６４】
３〕図柄ベルト１１７〜１１９の内面に所定幅を有するマグネットシートを無端状に設け、これらマグネットシートに接近対向するように、駆動モータ６０Ａ〜６２Ａに駆動ローラを設け、各駆動ローラの外周部に環状マグネット体を固着するように構成し（図１２参照）、これらマグネットシートと環状マグネット体の磁力による相互の吸引力を介して、駆動モータ６０Ａ〜６２Ａの回転駆動力を対応する図柄ベルト１１７〜１１９に伝達するように構成してもよい。
【００６５】
【発明の効果】請求項１の遊技機によれば、複数種の図柄を表示した複数のリールを夫々回転させて図柄を可変表示させる可変表示手段と開始操作手段と複数の停止操作手段とを備え、更に箱状本体と、前扉と、表示ユニットと、表示ユニットとは分離して箱状本体に装備された駆動手段と、駆動力伝達機構とを備えたので、表示ユニットを箱状本体内の所定の取付け位置に固定した場合、駆動手段の回転駆動力は駆動力伝達機構により複数のリールに伝達されるため、表示ユニットの複数のリールを個別に回転駆動することができる。
【００６６】
更に、表示ユニットには、複数のリールを回転駆動するための駆動手段が含まれないため、表示ユニットの小型化且つ軽量化を図ることができ、そのため、表示ユニットの製造コストを低減化、更にはこの表示ユニットを交換する交換作業が簡単化し、更には機種変更時の交換費用を安価にすることができる。
【００６７】
請求項２の遊技機によれば、複数種の図柄を表示した複数のベルトを夫々回転させて図柄を可変表示させる可変表示手段と開始操作手段と複数の停止操作手段とを備え、更に箱状本体と、前扉と、表示ユニットと、表示ユニットとは分離して箱状本体に装備された駆動手段と、駆動力伝達機構とを備えたので、前記請求項１と同様の効果を奏することができる。
【図面の簡単な説明】
【図１】本発明の実施の形態に係るスロットマシンの斜視図である。
【図２】スロットマシンの内部の正面図である。
【図３】可変表示機構の斜視図である。
【図４】回転リール及び駆動モータの側面図である。
【図５】図４における矢視Ａ図である。
【図６】リールユニットを着脱するときのスロットマシンの斜視図である。
【図７】変更形態に係る図５相当図である。
【図８】変更形態に係る図４相当図である。
【図９】変更形態に係る図５相当図である。
【図１０】変更形態に係る図５相当図である。
【図１１】変更形態に係る図５相当図である。
【図１２】回転リールに有するマグネットシートと駆動ローラに有する環状マグネット体の説明図である。
【図１３】変更形態に係る図４相当図である。
【図１４】別実施形態に係るスロットマシンの斜視図である。
【図１５】別実施形態に係るスロットマシンのベルトユニットの側面図である。
【図１６】図１５における矢視Ｏ図である。
【符号の説明】
１    スロットマシン
１Ａ  スロットマシン
２    箱状本体
２Ａ  箱状本体
３    前扉
３Ａ  前扉
１３    スタートレバー
１４〜１６    ストップボタン
４５    可変表示機構
４５Ａ  可変表示機構
４６    リールユニット
４６Ａ  リールユニット
４６Ｂ  リールユニット
４６Ｃ  リールユニット
４６Ｄ  リールユニット
４６Ｅ  リールユニット
５０〜５２  回転リール
５３    主制御基板
５３Ａ  主制御基板
５４    基板ケース
５４Ａ  基板ケース
６０〜６２      駆動モータ
６０Ａ〜６２Ａ  駆動モータ
６４〜６６      駆動ローラ
６４Ａ〜６６Ａ  駆動ローラ
６４Ｂ〜６６Ｂ  駆動ローラ
９７〜９９  駆動ローラ
６８〜７０  駆動力伝達機構
６８Ａ〜７０Ａ  駆動力伝達機構
６８Ｂ〜７０Ｂ  駆動力伝達機構
６８Ｃ〜７０Ｃ  駆動力伝達機構
６８Ｄ〜７０Ｄ  駆動力伝達機構
８０〜８２    駆動ギヤ
８３〜８５    従動ギヤ
８６〜８８    駆動ギヤ
９０〜９２    従動ギヤ
１２３〜１２５  駆動力伝達機構
１１０  ベルトユニット
１１３          駆動プーリ
１１７〜１１９  図柄ベルト
【図１】
2004147844.tif 000003
【図２】
2004147844.tif 000004
【図３】
2004147844.tif 000005
【図４】
2004147844.tif 000006
【図５】
2004147844.tif 000007
【図６】
2004147844.tif 000008
【図７】
2004147844.tif 000009
【図８】
2004147844.tif 000010
【図９】
2004147844.tif 000011
【図１０】
2004147844.tif 000012
【図１１】
2004147844.tif 000013
【図１２】
2004147844.tif 000014
【図１３】
2004147844.tif 000015
【図１４】
2004147844.tif 000016
【図１５】
2004147844.tif 000017
【図１６】
2004147844.tif 000018